(57)【要約】      （修正有）【課題】電子装置のスタンドフレームに設けられたアンテナの、受信性能を向上する。【解決手段】電子機器１０は、本体装置２２と、スタンド４０と、アンテナとを備える。本体装置２２は、プリント基板と、プリント基板を収容する筐体とを有する。スタンド４０は、導電性を有するスタンドフレームを備え、筐体の背面側を支持する。アンテナは、スタンド４０に設けられ、スタンドフレームに接地される。【選択図】図１
2015225369.tif 000002
【特許請求の範囲】
【請求項１】
電子部品と、前記電子部品を収容する筐体と、を有する電子装置と、
導電性を有するスタンドフレームを備え、前記筐体の背面側を支持するスタンドと、
前記スタンドに設けられ、前記スタンドフレームに接地されるアンテナと、
を備える電子機器。
【請求項２】
前記筐体の正面側に配置される表示装置を備える、
請求項１に記載の電子機器。
【請求項３】
前記表示装置の側部は、前記筐体よりも側方へ延出し、
前記アンテナは、平面視にて前記表示装置の側端と前記筐体の背面壁部の側端とを結ぶ仮想線を挟んで前記表示装置と反対側に配置される、
請求項２に記載の電子機器。
【請求項４】
前記表示装置の上部は、前記筐体よりも上方へ延出し、
前記アンテナは、側面視にて前記表示装置の上端と前記筐体の背面壁部の上端とを結ぶ仮想線を挟んで前記表示装置と反対側に配置される、
請求項２または請求項３に記載の電子機器。
【請求項５】
前記電子部品は、前記スタンドフレームに接地される、
請求項１〜請求項４の何れか１項に記載の電子機器。
【発明の詳細な説明】
【技術分野】
【０００１】
本願が開示する技術は、電子機器に関する。
【背景技術】
【０００２】
アンテナを備える電子機器が知られている（例えば、特許文献１，２参照）。
【先行技術文献】
【特許文献】
【０００３】
【特許文献１】特開２０１０−１１４０５号公報
【特許文献２】特開２０１１−１２００７２号公報
【発明の概要】
【発明が解決しようとする課題】
【０００４】
この種の電子機器では、アンテナの受信性能を向上させることが望まれる。
【０００５】
本願が開示する技術は、一つの側面として、アンテナの受信性能を向上することを目的とする。
【課題を解決するための手段】
【０００６】
本願が開示する技術では、電子機器は、電子装置と、スタンドと、アンテナとを備える。電子装置は、電子部品と、電子部品を収容する筐体とを有する。スタンドは、導電性を有するスタンドフレームを備え、筐体の背面側を支持する。アンテナは、スタンドに設けられ、スタンドフレームに接地される。
【発明の効果】
【０００７】
本願が開示する技術によれば、一つの側面として、アンテナの受信性能を向上することができる。
【図面の簡単な説明】
【０００８】
【図１】図１は、一実施形態に係る電子機器を正面側から見た斜視図である。
【図２】図２は、図１に示される表示装置及びスタンド装置を正面側から見た分解斜視図である。
【図３】図３は、一実施形態に係る電子機器を背面側から見た斜視図である。
【図４】図４は、図１に示されるスタンド装置を示す縦断面図である。
【図５】図５は、図１に示されるスタンド装置を背面側から見た分解斜視図である。
【図６】図６は、図３に示される電子機器から外側カバーを取り外した状態を示す斜視図である。
【図７】図７は、図６の一部拡大図である。
【図８】図８は、図６に示される電子機器を示す平面図である。
【図９】図９は、図１に示される電子機器を示す側面図である。
【発明を実施するための形態】
【０００９】
以下、本願が開示する技術の一実施形態について説明する。
【００１０】
図１〜図３に示されるように、一実施形態に係る電子機器１０は、例えば、表示装置別体型のパーソナルコンピュータとされる。この電子機器１０は、表示装置１２と、表示装置１２が装着されるスタンド装置２０とを備える。
【００１１】
なお、図１〜図３に示される矢印Ｆは、電子機器１０の正面側し、矢印Ｒは、電子機器１０の背面側を示す。また、矢印Ｚは、電子機器１０の高さ方向を示す。さらに、矢印Ｗは、電子機器１０の幅方向を示す。
【００１２】
表示装置１２は、例えば、液晶表示器等の表示パネル１４と、表示パネル１４を収容する筐体１６とを有する。この表示装置１２は、後述するスタンド装置２０の装着部３２に着脱可能に装着される。また、表示装置１２の下端部には、表示装置側コネクタ１７（図２参照）が設けられる。なお、本実施形態の表示装置１２は、タッチパネルを有し、利用者の指等によってタッチ操作される。
【００１３】
スタンド装置２０は、例えば、机等の設置面１８（図４参照）に設置され、表示装置１２を立てた状態で支持するクレードルとされる。このスタンド装置２０は、本体装置２２と、本体装置２２の正面側に設けられる装着部３２と、本体装置２２の背面側に設けられるスタンド４０とを備える。なお、本体装置は、電子装置の一例である。
【００１４】
図４に示されるように、本体装置２２は、箱状に形成された筐体２４を有する。筐体２４は、正面壁部２４Ａと、背面壁部２４Ｂと、上壁部２４Ｃと、下壁部２４Ｄとを有する。この筐体２４の内部には、正面側から順にＨＤＤ（Hard disk drive）ユニット２６、ＯＤＤ（Optical Disk Drive）ユニット２８、及びプリント基板３０が収容される。なお、筐体２４の正面壁部２４Ａには、例えば、樹脂製の化粧パネル２５が取り付けられる。
【００１５】
ＨＤＤユニット２６、ＯＤＤユニット２８、及びプリント基板３０は、本体装置２２の奥行方向（矢印Ｆ，Ｒ方向）に重ねられた状態（積層状態）で筐体２４に収容される。これらのＨＤＤユニット２６及びＯＤＤユニット２８には、複数の電子部品が実装される。また、プリント基板３０には、例えば、ＣＰＵ、メモリ、及び後述するアンテナモジュール８４等の電子部品が実装される。なお、ＨＤＤユニット２６、ＯＤＤユニット２８は、実装ユニットの一例である。
【００１６】
筐体２４の正面側には、装着部３２が設けられる。装着部３２は、筐体２４の正面壁部２４Ａにおける下端部に沿って設けられる。この装着部３２の上部には、図２に示されるように、筐体２４の幅方向（矢印Ｗ方向）に沿って延びる溝部３４が形成される。溝部３４には、表示装置１２のが挿入される。また、溝部３４の底部には、スタンド側コネクタ３６が設けられる。このスタンド側コネクタ３６には、前述した表示装置１２の表示装置側コネクタ１７が電気的に接続される。
【００１７】
図３及び図４に示されるように、筐体２４の背面側には、スタンド４０が設けられる。スタンド４０は、側面視にて筐体２４側が開口したＵ字状を成しており、一端側４０Ｓ１が筐体２４の上部に取り付けられると共に、他端側４０Ｓ２が筐体２４の下部に取り付けられる。このスタンド４０は、ベース部４０Ａと、傾斜部４０Ｂと、湾曲部４０Ｃとを有する。
【００１８】
図４に示されるように、ベース部４０Ａは、筐体２４の下壁部２４Ｄから設置面１８に沿って背面側（矢印Ｒ方向）へ延出する。一方、傾斜部４０Ｂは、筐体２４の上壁部２４Ｃから背面側で且つ斜め下方へ延出し、湾曲部４０Ｃを介してベース部４０Ａと接続される。湾曲部４０Ｃは、本体装置２２と反対側へ凸を成すように湾曲し、傾斜部４０Ｂとベース部４０Ａとを接続する。このスタンド４０によって、本体装置２２が背面側（矢印Ｒ方向）へ倒れないように支持される。なお、ベース部４０Ａと傾斜部４０Ｂとの間であって本体装置２２の背面側には、空間４１が形成される。また、湾曲部４０Ｃには、本体装置２２に接続されるケーブル等を配線するための開口４２（図３参照）が形成される。
【００１９】
図５に示されるように、スタンド４０は、内側カバー４４と、外側カバー４６と、内側カバー４４と外側カバー４６との間に配置されるスタンドフレーム４８とを有する。内側カバー４４及び外側カバー４６は、例えば、樹脂で形成される。この内側カバー４４は、スタンドフレーム４８の内側に配置され、当該スタンドフレーム４８を内側から覆う。一方、外側カバー４６は、スタンドフレーム４８の外側に配置され、当該スタンドフレーム４８を外側から覆う。これらの内側カバー４４、外側カバー４６、及びスタンドフレーム４８は、重ねられた状態で筐体２４に取り付けられる。
【００２０】
スタンドフレーム４８は、スタンド４０を補強する部材であり、例えば、導電性を有する金属板（板金）で形成される。このスタンドフレーム４８は、フレーム本体部５０と、一対の上側取付部５２Ｕと、一対の下側取付部５２Ｌと、一対の上側接地部５４Ｕと、一対の下側接地部５４Ｌとを有する。
【００２１】
フレーム本体部５０は、側面視にて筐体２４側が開口したＵ字状を成し、スタンド４０に沿って設けられる。このフレーム本体部５０における上側の開口端部には、一対の上側取付部５２Ｕ及び一対の上側接地部５４Ｕが設けられる。一方、フレーム本体部５０における下側の開口端部には、一対の下側取付部５２Ｌ及び一対の下側接地部５４Ｌが設けられる。
【００２２】
なお、一対の上側取付部５２Ｕと一対の下側取付部５２Ｌとは、同様の構成とされる。また、一対の上側接地部５４Ｕと一対の下側接地部５４Ｌとは同様の構成とされる。そのため、以下では、一対の上側取付部５２Ｕ及び一対の上側接地部５４Ｕの構成について説明し、一対の下側取付部５２Ｌ及び一対の下側接地部５４Ｌの構成については説明を省略する。
【００２３】
一対の上側取付部５２Ｕは、フレーム本体部５０の幅方向（矢印Ｗ方向）の両側に、腕部５６を介して設けられる。各上側取付部５２Ｕは、板状に形成されており、腕部５６の上側に設けられる。また、各上側取付部５２Ｕには、ビス５８が挿入される取付孔６０が形成される。これと同様に、内側カバー４４の上部及び筐体２４の上壁部２４Ｃには、ビス５８が挿入される取付孔６２，６４がそれぞれ形成される。これらの取付孔６０，６２，６４に挿入されるビス５８によって、スタンドフレーム４８及び内側カバー４４の上部が筐体２４の上壁部２４Ｃに固定される。
【００２４】
一対の上側接地部５４Ｕは、フレーム本体部５０の幅方向（矢印Ｗ方向）の両側に設けられる。各上側接地部５４Ｕは、板状に形成されており、腕部５６の下側に設けられる。また、各上側取付部５２Ｕには、ビス６６が挿入される取付孔６８が形成される。これと同様に、内側カバー４４の上部及び筐体２４の上壁部２４Ｃには、ビス６６が挿入される取付孔７０，７２がそれぞれ形成される。これらの取付孔６８，７０，７２に挿入されたビス６６によって、スタンドフレーム４８及び内側カバー４４の上部が筐体２４の上壁部２４Ｃに固定される。
【００２５】
また、図４に示されるように、上側接地部５４Ｕには、導電性を有する筐体２４を介してＨＤＤユニット２６、ＯＤＤユニット２８、及びプリント基板３０が接地される。具体的には、筐体２４は、例えば、樹脂成型品で形成される。筐体２４における正面壁部２４Ａ、背面壁部２４Ｂ、上壁部２４Ｃ、及び下壁部２４Ｄの内壁面２４Ｘは、導電性を有する内面メッキ（金属膜）によって被覆される。この内壁面２４Ｘには、ＨＤＤユニット２６、ＯＤＤユニット２８、及びプリント基板３０が要所において電気的に接続される。なお、プリント基板３０は、背面壁部２４Ｂに設けられた支柱７４及びビス７５を介して内壁面２４Ｘに接地される。
【００２６】
また、筐体２４における上壁部２４Ｃの外壁面２４Ｙは、導電性を有する外面メッキ（金属膜）によって被覆される。この外面メッキは、前述した内面メッキと繋がっており、内面メッキと電気的に接続される。この外壁面２４Ｙに、ビス６６によって上側接地部５４Ｕを接触させることにより、ＨＤＤユニット２６、ＯＤＤユニット２８、及びプリント基板３０が筐体２４を介してスタンドフレーム４８に接地される。
【００２７】
ここで、スタンド４０の傾斜部４０Ｂには、一対のアンテナ８０が設けられる。一対のアンテナ８０は、例えば、無線ＬＡＮ用の通信アンテナとされ、図示しない無線サーバからの電波を受信する。この一対のアンテナ８０は、本体装置２２から背面側へ離れた位置に配置される。
【００２８】
図６に示されるように、一対のアンテナ８０は、内側カバー４４と外側カバー４６（図５参照）との間に収容される。また、一対のアンテナ８０は、板状に形成されており、スタンドフレーム４８の両側に配置される。この一対のアンテナ８０は、モノポールアンテナの一種とされており、その一端側がグラウンド（接地板）としてのスタンドフレーム４８に接地される。
【００２９】
具体的には、図７に示されるように、アンテナ８０は、一端側の側部８０Ａがフレーム本体部５０の側部に重ねられた状態で、テープ等によりフレーム本体部５０に固定される。これにより、アンテナ８０がスタンドフレーム４８に接地される。そして、アンテナ８０をスタンドフレーム４８に接地することにより、スタンドフレーム４８にアンテナ８０のイメージが形成されるため、アンテナ８０の長さが実質的に長くなる。したがって、アンテナ８０の小型化を図ることができる。なお、一対のアンテナ８０は、例えば、各々の指向性等を考慮し、スタンドフレーム４８の長手方向にずれて配置される。
【００３０】
また、各アンテナ８０には、配線８２を介してアンテナモジュール８４（図４参照）が電気的に接続される。アンテナモジュール８４は、筐体２４内のプリント基板３０に実装される。このアンテナモジュール８４は、アンテナ８０で受信した電波を電気信号等に変換する。
【００３１】
ここで、図８に示されるように、表示装置１２は、スタンド装置２０の装着部３２に装着された状態で側部１２Ｓが筐体２４よりも側方（筐体２４の幅方向（矢印Ｗ方向））へ延出する。そのため、表示装置１２の正面側（矢印Ｆ側）からの電波が表示装置１２の側部１２Ｓによって遮蔽され、一対のアンテナ８０の受信性能が低下する可能性がある。
【００３２】
この対策として本実施形態では、一対のアンテナ８０が、平面視にて表示装置１２の背面側の側端１２Ｓ１と筐体２４の背面壁部２４Ｂの側端２４Ｂ１とをそれぞれ結ぶ仮想線Ｌ１，Ｌ２を挟んで表示装置１２と反対側（矢印Ｒ側）に配置される。これにより、一対のアンテナ８０の受信性能に対する表示装置１２の側部１２Ｓの影響が小さくなる。
【００３３】
また、図９に示されるように、表示装置１２は、スタンド装置２０の装着部３２に装着された状態で上部１２Ｕが筐体２４よりも上方へ延出する。そのため、表示装置１２の正面側（矢印Ｆ側）からの電波が表示装置１２の上部１２Ｕによって遮蔽され、一対のアンテナ８０の受信性能が低下する可能性がある。
【００３４】
この対策として本実施形態では、一対のアンテナ８０が、側面視にて表示装置１２の背面側の上端１２Ｕ１と筐体２４の背面壁部２４Ｂの上端２４Ｂ２を結ぶ仮想線Ｋ１を挟んで表示装置１２と反対側（矢印Ｒ側）に配置される。これにより、一対のアンテナ８０の受信性能に対する表示装置１２の上部１２Ｕの影響が小さくなる。
【００３５】
さらに、一対のアンテナ８０は、設置面１８から所定高さＨ以上離れた位置に配置される。つまり、一対のアンテナ８０は、設置面１８から所定高さＨにある仮想線Ｋ２よりも上側に配置される。これにより、一対のアンテナ８０の受信性能に対する設置面１８の影響が小さくなる。
【００３６】
次に、本実施形態の作用について説明する。
【００３７】
図４に示されるように、スタンド装置２０は、本体装置２２と、本体装置２２の背面側を支持するスタンド４０とを備える。この本体装置２２の筐体２４には、ＨＤＤユニット２６、ＯＤＤユニット２８、及びプリント基板３０が収容される。この場合、筐体２４内にアンテナを設けると、ＨＤＤユニット２６、ＯＤＤユニット２８、及びプリント基板３０に実装された電子部品からのノイズ等の影響により、アンテナの受信性能（受信感度）が低下する可能性がある。
【００３８】
特に、本実施形態では、ＨＤＤユニット２６、ＯＤＤユニット２８、及びプリント基板３０が本体装置２２の奥行方向に重ねられた状態で筐体２４に収容される。さらに、筐体２４の正面側には、表示装置１２（図１参照）が装着される。このような場合に、例えば、筐体２４内におけるプリント基板３０の背面側にアンテナを設けると、表示装置１２、ＨＤＤユニット２６、ＯＤＤユニット２８、及びプリント基板３０が障害となり、本体装置２２の正面側（矢印Ｆ側）からの電波がアンテナに届き難くなる。
【００３９】
これに対して本実施形態では、アンテナ８０が筐体２４ではなく当該筐体２４を支持するスタンド４０の傾斜部４０Ｂに設けられる。これにより、アンテナ８０を筐体２４内に設ける場合と比較して、アンテナ８０に対するＨＤＤユニット２６、ＯＤＤユニット２８、及びプリント基板３０の影響が小さくなる。したがって、本体装置２２の正面側に対するアンテナ８０の受信性能（受信感度）が向上する。
【００４０】
また、図８に示されるように、アンテナ８０は、平面視にて表示装置１２の背面側の側端１２Ｓ１と筐体２４の背面壁部２４Ｂの側端２４Ｂ１とをそれぞれ結ぶ仮想線Ｌ１，Ｌ２を挟んで表示装置１２と反対側（矢印Ｒ側）に配置される。これにより、一対のアンテナ８０の受信性能に対する表示装置１２の側部１２Ｓの影響が小さくなる。
【００４１】
これと同様に、図９に示されるように、アンテナ８０は、側面視にて表示装置１２の背面側の上端１２Ｕ１と筐体２４の背面壁部２４Ｂの上端２４Ｂ２を結ぶ仮想線Ｋ１を挟んで表示装置１２と反対側に配置される。これにより、一対のアンテナ８０の受信性能に対する表示装置１２の上部１２Ｕの影響が小さくなる。
【００４２】
さらに、アンテナ８０は、設置面１８から所定高さＨ以上離れた位置に配置される。つまり、一対のアンテナ８０は、設置面１８から所定高さＨにある仮想線Ｋ２よりも上側に配置される。これにより、一対のアンテナ８０の受信性能に対する設置面１８の影響が小さくなる。したがって、本体装置２２の正面側からのアンテナ８０の受信性能が向上する。
【００４３】
しかも、アンテナ８０は、モノポールアンテナの一種とされており、その一端側がグラウンド（接地板）としてのスタンドフレーム４８に接地される。つまり、本実施形態では、スタンドフレーム４８をアンテナ８０のグラウンドとして流用する。これにより、アンテナ８０用の接地板を省略することができる。したがって、部品点数を低減しつつ、アンテナ８０の小型化を図ることができる。
【００４４】
さらに、本実施形態では、筐体２４が導電性を有し、筐体２４内に収容されたＨＤＤユニット２６、ＯＤＤユニット２８、プリント基板３０、及びアンテナモジュール８４が筐体２４を介してスタンドフレーム４８に接地される。このようにスタンドフレーム４８をＨＤＤユニット２６、ＯＤＤユニット２８、及びプリント基板３０等のグラウンドとして流用することにより、部品点数をさらに低減することができる。
【００４５】
また、スタンド４０は、側面視にて本体装置２２側が開口したＵ字状を成し、一端側４０Ｓ１が筐体２４の上壁部２４Ｃに取り付けられると共に他端側４０Ｓ２が筐体２４の下壁部２４Ｄに取り付けられる。これにより、本体装置２２の背面側への倒れを抑制しつつ、スタンド４０の意匠性を向上させることができる。
【００４６】
次に、上記実施形態の変形例について説明する。
【００４７】
上記実施形態では、スタンド４０に一対のアンテナ８０を設けた例を示したが、スタンド４０には少なくとも１つのアンテナ８０を設けることができる。また、上記実施形態では、スタンド４０の傾斜部４０Ｂにアンテナ８０を設けた例を示したが、アンテナ８０の配置は変更可能である。アンテナ８０は、例えば、スタンド４０の湾曲部４０Ｃに設けても良い。
【００４８】
また、スタンド４０の形状は、上記した形状に限らない。例えば、スタンド４０からベース部４０Ａを省略しても良い。
【００４９】
また、上記実施形態では、本体装置２２のプリント基板３０等をスタンドフレーム４８に接地した例を示したが、プリント基板３０等はスタンドフレーム４８に接地しなくても良い。
【００５０】
また、上記実施形態では、ＨＤＤユニット２６、ＯＤＤユニット２８、及びプリント基板３０を重ねた状態で本体装置２２の筐体２４に収容した例を示したが、これらのＨＤＤユニット２６、ＯＤＤユニット２８、及びプリント基板３０の配置は変更可能である。また、本体装置２２の筐体２４には、少なくとも１つの電子部品が収容されていれば良い。
【００５１】
以上、本願が開示する技術の一実施例について説明したが、本願が開示する技術は上記の実施例に限定されるものでない。また、上記実施例及び各種の変形例を適宜組み合わせて用いても良いし、本願が開示する技術の要旨を逸脱しない範囲において、種々なる態様で実施し得ることは勿論である。
【００５２】
なお、以上の実施形態に関し、さらに以下の付記を開示する。
【００５３】
（付記１）
電子部品と、前記電子部品を収容する筐体と、を有する電子装置と、
導電性を有するスタンドフレームを備え、前記筐体の背面側を支持するスタンドと、
前記スタンドに設けられ、前記スタンドフレームに接地されるアンテナと、
を備える電子機器。
（付記２）
前記筐体の正面側に配置される表示装置を備える、
付記１に記載の電子機器。
（付記３）
前記表示装置の側部は、前記筐体よりも側方へ延出し、
前記アンテナは、平面視にて前記表示装置の側端と前記筐体の背面壁部の側端とを結ぶ仮想線を挟んで前記表示装置と反対側に配置される、
付記２に記載の電子機器。
（付記４）
前記表示装置の上部は、前記筐体よりも上方へ延出し、
前記アンテナは、側面視にて前記表示装置の上端と前記筐体の背面壁部の上端とを結ぶ仮想線を挟んで前記表示装置と反対側に配置される、
付記２または付記３に記載の電子機器。
（付記５）
前記筐体の正面側に設けられ、前記表示装置が装着される装着部を備える、
付記２〜付記４の何れか１つに記載の電子機器。
（付記６）
前記電子装置は、前記電子部品としての実装ユニット及びプリント基板を有し、
前記実装ユニット及び前記プリント基板は、前記電子装置の奥行方向に重ねられた状態で前記筐体に収容される、
付記１〜付記５の何れか１つに記載の電子機器。
（付記７）
前記電子部品は、前記スタンドフレームに接地される、
付記１〜付記６の何れか１つに記載の電子機器。
（付記８）
前記筐体は、導電性を有し、
前記電子部品は、前記筐体を介して前記スタンドフレームに接地される、
付記７に記載の電子機器。
（付記９）
前記スタンドは、側面視にて前記電子装置側が開口したＵ字状を成し、一端側が前記筐体の上部に取り付けられると共に他端側が前記筐体の下端部に取り付けられる、
付記１〜付記８の何れか１つに記載の電子機器。
（付記１０）
前記スタンドは、前記スタンドフレームを内側から覆う内側カバーと、前記スタンドフレームを外側から覆う外側カバーと、を有する、
付記１〜付記９の何れか１つに記載の電子機器。
（付記１１）
前記スタンドは、前記筐体の下部から設置面に沿って延出するベース部と、前記筐体の上部から斜め下方へ延出して前記ベース部と接続される傾斜部と、を有し、
前記アンテナは、前記傾斜部に設けられる、
付記１〜付記１０の何れか１つに記載の電子機器。
（付記１２）
前記電子装置は、前記筐体に収容され、前記アンテナが接続されるアンテナモジュールを有する、
付記１〜付記１１の何れか１つに記載の電子機器。
（付記１３）
前記アンテナは、前記スタンドフレームをグラウンドとするモノポールアンテナである、
付記１〜付記１２の何れか１つに記載の電子機器。
【符号の説明】
【００５４】
１０      電子機器
１２      表示装置
１２Ｓ    側部
１２Ｓ１  側端
１２Ｕ    上部
１２Ｕ１  上端
１８      設置面
２２      本体装置（電子装置の一例）
２４      筐体
２４Ｂ    背面壁部
２４Ｂ１  側端
２４Ｂ２  上端
２６      ＨＤＤユニット（電子部品及び実装ユニットの一例）
２８      ＯＤＤユニット（電子部品及び実装ユニットの一例）
３０      プリント基板（電子部品の一例）
３２      装着部
４０      スタンド
４０Ａ    ベース部
４０Ｂ    傾斜部
４０Ｓ１  一端側
４０Ｓ２  他端側
４４      内側カバー
４６      外側カバー
４８      スタンドフレーム
８０      アンテナ
８４      アンテナモジュール
Ｌ１      仮想線
Ｌ２      仮想線
Ｋ１      仮想線
【図１】
2015225369.tif 000003
【図２】
2015225369.tif 000004
【図３】
2015225369.tif 000005
【図４】
2015225369.tif 000006
【図５】
2015225369.tif 000007
【図６】
2015225369.tif 000008
【図７】
2015225369.tif 000009
【図８】
2015225369.tif 000010
【図９】
2015225369.tif 000011